【事件の表示】
　特許第３１６７５６９号「生理用ナプキンの個別包装品及びその製造方法」の請求項１に係る特許に対する特許異議の申立てについて、次のとおり決定する。
【結　論】
　特許第３１６７５６９号の請求項１に係る特許を維持する。
【理　由】
１．本件特許発明
　特許第３１６７５６９号（平成７年２月２３日出願、平成１３年３月９日設定登録）の請求項１に係る発明（以下、「本件発明１」という。）は、その特許請求の範囲の請求項１に記載された事項によって特定される次のとおりのものである。
　液透過性表面シート、液不透過性裏面シート、及びこれら両シート間に位置する吸収体を有し、長手方向後方部の両側に、フラップ固定用粘着層を有する一対のバックフラップ部を設け、且つ上記液不透過性裏面シートに、本体固定用剥離紙で被覆された本体固定用粘着層を設けた生理用ナプキンにおいて、上記一対のバックフラップ部を、上記フラップ固定用粘着層を上方に向けて上記液透過性表面シート側に折り返すと共に、折り返した該一対のバックフラップ部の上記フラップ固定用粘着層に亘って、剥離処理面側を該フラップ固定用粘着層に向けてフラップ固定用剥離紙を接着した生理用ナプキンの個別包装品であって、
　上記生理用ナプキンの上記本体固定用剥離紙の非剥離処理面側に包装フィルムを第１の接着剤で接着し、
　上記生理用ナプキンを、上記フラップ固定用剥離紙と該生理用ナプキンの前方部の液不透過性裏面シート側とが対向するように、上記包装フィルムと共に上記液透過性表面シート側に三つ折りし、
　上記生理用ナプキンの前方部を覆う上記包装フィルムと上記フラップ固定用剥離紙の非剥離処理面とを第２の接着剤で接着すると共に、上記生理用ナプキンの後方部の後端部を覆う上記包装フィルムと、上記生理用ナプキンの前方部及び中間部の折曲部近傍を覆う上記包装フィルムとを接着用テープで固定していることを特徴とする生理用ナプキンの個別包装品。
　
２．特許異議申立ての理由の概要
　特許異議申立人 吉川郁子は、下記の甲第１〜４号証を提出して、本件発明１は甲第１〜４号証に記載された発明に基いてその出願前に当業者が容易に発明をすることができたものであるから、本件特許は特許法第２９条の規定に違反してされたものであり、特許法第１１３条第１項第２号の規定に該当するので取り消されるべきものである旨を主張している。
　甲第１号証：実願平５−１７４０２号（実開平６−７５４４６号）のＣＤ−ＲＯＭ
　甲第２号証：実願平４−６８５３９号（実開平６−２６８３３号）のＣＤ−ＲＯＭ
　甲第３号証：特表平９−５００５５８号公報
　甲第４号証：特開平３−１７６３７６号公報
　
３．引用刊行物
　当審で通知した取消しの理由で引用した刊行物１（甲第１号証）には、以下の事項が記載されている。
Ａ．「ナプキン本体と、その長手方向の左右両側縁部に、それぞれの幅方向外方に延出して形成された一対のフラップとを有する生理用ナプキンにおける上記一対のフラップを、それぞれナプキン本体の肌当接面側…に折り曲げた形態となした上記生理用ナプキンを、上記ナプキン本体の少なくとも非肌当接面を包装材で仮包装し、仮包装された上記生理用ナプキンを、その折曲部において上記包装材と一体に折り重ねて、上記包装材の少なくとも一辺を止着してなる、生理用ナプキンの包装構造であって、上記ナプキン本体の非肌当接面に粘着部が設けられており、上記包装材の内表面における上記粘着部の対応部分に剥離部が設けられていることを特徴とする生理用ナプキンの包装構造。」（実用新案登録請求の範囲の請求項１）
Ｂ．「更に、上記一対のフラップの非肌当接面側に、粘着層が設けられていることを特徴とする請求項１記載の生理用ナプキンの包装構造。」（実用新案登録請求の範囲の請求項２）
Ｃ．「仮包装した生理用ナプキン１０を、該生理用ナプキン１０の長手方向を前方部１３、中央部１４及び後方部１５に略３等分する２つの折曲部１７において、該後方部１５、該前方部１３の順序で、該中央部１４の肌当接面１１側に３つ折にし…てなる。ここで、上記前方部１３は、生理用ナプキンの使用時において、使用者の前面方向に位置する部位である。」（１１頁１０〜１５行）
Ｄ．「上記生理用ナプキン１０は、肌当接面１１が液透過性のシート材により、また、非肌当接面１２が液不透過性のシート材によりそれぞれ形成され、更に上記肌当接面１１と非肌当接面１２との間に液保持性の吸収体を有する、通常の生理用ナプキンである。」（１１頁２６行〜１２頁１行）
Ｅ．「上記剥離部３１は、上記包装材の内面に剥離処理剤を塗布するか、または剥離テープを貼付する等して形成される。」（１３頁１０〜１１行）
Ｆ．「図６に示す本実施例の生理用ナプキンの包装構造１０１は、一対のフラップ１２０を、それぞれナプキン本体１１８の肌当接面１１１側に折り曲げた形態となした上記生理用ナプキン１１０（図８参照）を、包装材１３０で仮包装し、仮包装された上記生理用ナプキン１１０を、その折曲部１１７において上記包装材１３０と一体に折り重ねて、上記包装材１３０の両側縁部１３２を止着してなる。
　そして、本実施例における生理用ナプキンの包装構造１０１においては、図９に示すように、上記の仮包装するに際して、ナプキン本体１８の非肌当接面１２側全面と肌当接面１１の上記フラップ１２０が折り曲げられている部位とに、上記包装材１３０の内表面が当接するように行っている。これにより、ナプキン本体１１８の粘着部１１６及びフラップ１２０の非肌当接面１１２側に設けられている粘着部１２１が、包装材１３０の内表面に設けられている剥離部（図示せず）により保護されている。」（１５頁７〜１８行）
Ｇ．「【考案の効果】
　本考案の生理用ナプキンの包装構造は、羽根付き生理用ナプキンが、その使用時においてショーツに対して充分なタック力を有するように広範囲の粘着層を備え、且つ該粘着層の包装材に対する剥離性にも優れるものであり、具体的には、下記…の効果を奏する。
…
生理用ナプキンの使用時における剥離紙を剥がす手間が省ける。特に通常の羽根付きナプキンにおいて用いられているフラップ部分等の剥離紙を廃棄する必要がなく、該剥離紙を便器に廃棄して詰まらせることがない。
…
包装構造の大きさを小さくでき、コンパクトである。」（１８頁２４行〜１９頁１３行）
Ｈ．図２、７、１１及び１２から「一対のフラップは、ナプキン本体の長手方向中央部の左右両側縁部に、それぞれの幅方向外方に延出して形成されている」点が看取できる。
　
　上記摘示事項から、刊行物１には「肌当接面が液透過性のシート材により、また、非肌当接面が液不透過性のシート材によりそれぞれ形成され、更に上記肌当接面と非肌当接面との間に液保持性の吸収体を有するナプキン本体と、その長手方向中央部の左右両側縁部に、それぞれの幅方向外方に延出して形成され、その非肌当接面側に粘着部が設けられている一対のフラップとを有する生理用ナプキンにおける上記一対のフラップを、それぞれナプキン本体の肌当接面側に折り曲げた形態となした上記生理用ナプキンを、上記ナプキン本体の非肌当接面側全面と肌当接面の上記フラップが折り曲げられている部位とに、包装材の内表面が当接するように包装材で仮包装し、仮包装された上記生理用ナプキンを、その折曲部において上記包装材と一体に３つに折り重ねてなる、生理用ナプキンの包装構造であって、上記ナプキン本体の非肌当接面に粘着部が設けられており、上記包装材の内表面における上記ナプキン本体の粘着部及び上記フラップの粘着部の対応部分に、剥離テープを貼付することにより形成された剥離部が設けられている生理用ナプキンの包装構造」の考案が記載されているものと認められる。
　
　当審で通知した取消しの理由で引用した刊行物２（甲第２号証）には、以下の事項が記載されている。
Ａ．「図４に示すように、ナプキン３０は、肌当接表面を形成する透液性表面シート３２と、非肌当接裏面を形成する不透液性裏面シート３３と、これら両シート３２，３３間に介在する吸収体３４とからなる本体部分３５と、本体部分３５の中央域の対向縁３６から横外側へ延出する左右の翼部分４０とで構成してある。なお、翼部分４０は対向縁３６に沿って表面シート３２の側へ折り畳んである。本体部分３５の裏面シート３３には、ナプキン３０の長手方向へ延在する２条の粘着剤塗布域３７があり、各翼部分４０の裏面シート３３には粘着剤塗布域４２がある。粘着剤塗布域３７は、１枚の本体用離型保護片３８で被覆してあり、左右の粘着剤塗布域４２は、各翼部分４０を連結する１枚の翼部用離型保護片４３で被覆してある。」（６頁１５〜２４行）
Ｂ．「本体用離型保護片３８は、端部３９近傍で外側へ折り返すとともに、その折り返し端３８Ａがミシン目３よりも縁部２Ｂ寄りの位置で個袋２の内面へ接着剤４により接合してある。」（７頁４〜６行）
Ｃ．「取り出したナプキン３０は粘着剤塗布域３７が既に露出しているから、そのまま着用ショーツの股部内側に圧着し、続いて翼部用離型保護片４３を剥離し、各翼部分４０を外側へ折り返して着用ショーツの股部外側へ圧着する。」（７頁１４〜１６行）
　
　当審で通知した取消しの理由で引用した刊行物３（国際公開第９５／０３０２３号パンフレット：甲第３号証をその翻訳文とする。）には、以下の事項が記載されている。
Ａ．「長さ方向に延びた長さ方向寸法と横断方向に延びた横断方向寸法とを有する、下着の股部領域において装着するための吸収物品であって、吸収コアを含む主本体部分を備え、該主本体部分は、身体側と、下着側と、一対の長さ方向側縁部とを有しており、主本体部分に接合され、主本体部分の長さ方向側縁部を側方かつ外方に超えて遠位縁部まで延びた一対の側部被覆要素を備え、側部被覆要素は、主本体部分を上向き弧状形体に置いたとき、装着者の下着の股部領域の縁部のまわりを覆うように予め配置されており、前記側部被覆要素は、弾性ストランドから解放され、主として横断方向において伸長可能である第１の領域と、第１の領域の側方かつ外方に配置され、第１の領域を側方かつ外方に延ばしたとき、側部被覆要素を引っ張り状態に維持する、伸長性の小さな第２の領域とを有していることを特徴とする吸収物品。」（特許請求の範囲の第１項）
Ｂ．「…本発明は、通常の側部フラップの代替物となる、下着を引っ張り上げたときに装着者の下着の側部を自動的に覆う一定長さの下着被覆構成要素（“側部被覆要素”）を有する衛生ナプキンに関する。」（発明の詳細な説明の発明の分野の項）
Ｃ．「第４図は、本発明の衛生ナプキン２０の主本体部分２１の個々の構成要素を示している。主本体部分２１は一般に、少なくとも３つの主要な構成要素を備えている。これらは、液体透過性のトップシート３８と、液体不透過性のバックシート４０と、トップシート３８とバックシート４０との間に位置決めされた吸収コア４２とを有している。」（９頁１０〜１５行）
Ｄ．「本発明の衛生ナプキン２０は、主本体部分２１に接合された一対の被覆要素５０を備えており、…」（１０頁９〜１０行）
Ｅ．図１〜３から「側部被覆要素５０が主本体部分２１に沿って後方部にまで延びている」点が看取できる。
　
　当審で通知した取消しの理由で引用した刊行物４（甲第４号証）には、以下の事項が記載されている。
Ａ．「ナプキン１がサイドガード部８を有する場合、この時にサイドガード部８も同時に折り曲げられる。」（２頁左下欄６〜８行）
Ｂ．「例えば、ナプキン１が長辺方向に略三等分されて折り重ねられるように側端部Y1をはじめに折り返した後、続いて側端部Y2を折り返して側端部Y1上に折り重ねる。最後に包材２の最上位となる側端部（Y2）をタックシール３若しくは図示しない再剥離可能な粘着剤層を介して、重なり合って当接する包材表面に固定し、以てナプキン１の包装がなされる（同図（ｄ）及び第２図）。」（２頁左下欄１１〜１９行）
　
４．対比・判断
　本件発明１と刊行物１に記載された考案を対比すると、刊行物１に記載された考案の「肌当接面側の液透過性のシート材」、「非肌当接面側の液不透過性のシート材」、「液保持性の吸収体」、「フラップの粘着部」、「ナプキン本体の粘着部」、「包装材」、「包装材の内表面におけるナプキン本体の粘着部の対応部分に設けられ、剥離テープを貼付することにより形成された剥離部」及び「包装材のフラップの粘着部の対応部分に設けられ、剥離テープを貼付することにより形成された剥離部」は、それぞれ、本件発明１の「液透過性表面シート」「液不透過性裏面シート」、「吸収体」、「フラップ固定用粘着層」、「本体固定用粘着層」、「包装フィルム」、「非剥離処理面側が包装フィルムに第１の接着剤で接着された本体固定用剥離紙」及び「非剥離処理面側が包装フィルムに第２の接着剤で接着されたフラップ固定用剥離紙」に相当すると認められるので、両者は、「液透過性表面シート、液不透過性裏面シート、及びこれら両シート間に位置する吸収体を有し、長手方向の両側に、フラップ固定用粘着層を有する一対のフラップ部を設け、且つ上記液不透過性裏面シートに、本体固定用剥離紙で被覆された本体固定用粘着層を設けた生理用ナプキンにおいて、上記一対のフラップ部を、上記フラップ固定用粘着層を上方に向けて上記液透過性表面シート側に折り返すと共に、折り返した該一対のフラップ部の上記フラップ固定用粘着層に亘って、剥離処理面側を該フラップ固定用粘着層に向けてフラップ固定用剥離紙を接着した生理用ナプキンの個別包装品であって、
　上記生理用ナプキンの上記本体固定用剥離紙の非剥離処理面側に包装フィルムを第１の接着剤で接着し、
　上記生理用ナプキンを、上記包装フィルムと共に上記液透過性表面シート側に三つ折りし、
　上記包装フィルムと上記フラップ固定用剥離紙の非剥離処理面とを第２の接着剤で接着する生理用ナプキンの個別包装品。」の点で一致し、本件発明１では、一対のフラップがナプキン本体の長手方向後方部の両側に設けられた「バックフラップ」であるのに対して、刊行物１では、一対のフラップがナプキン本体の長手方向中央部の両側に設けらている点において相違し（相違点１）、また、本件発明１では、フラップ固定用粘着層（及びこれを被覆するフラップ固定用剥離紙）側と生理用ナプキンの前方部の液不透過性裏面シート側とが対向するように、包装フィルムと共に三つ折りしているが、刊行物１では、前述のように、一対のフラップがナプキン本体の長手方向中央部の両側に設けらているので、フラップ固定用粘着層側と生理用ナプキンの前方部の液不透過性裏面シート側とが対向するように包装フィルムと共に三つ折りして包装することが不可能であり（相違点２）、さらに、本件発明１では、生理用ナプキンの後方部の後端部を覆う包装フィルムと、生理用ナプキンの前方部及び中間部の折曲部近傍を覆う包装フィルムとを接着用テープで固定するのに対して、刊行物１では、接着用テープによる固定は明記されていない点において相違（相違点３）する。
　そこで、まず、相違点１について検討すると、刊行物１に記載された考案はいわゆる羽根付き生理用ナプキンの包装構造に関するものであって、前記羽根、すなわちフラップは、ナプキン本体の長手方向中央部の左右両側縁部から延出して形成されていることから、前記フラップは、使用時には下着の股部領域を巻き込むようにしてナプキン本体の非肌当接面側に折り返され、かつ、下着股部領域の非肌当接面にフラップの粘着部を貼付することによって、ナプキン本体を下着に固定するものと認められる。これに対して、本件発明１におけるフラップは、ナプキン本体の長手方向後方部の左右両側縁部から延出して形成されているバックフラップであることから、前記バックフラップ部が配置される下着の部位の形状を考慮すると、使用時においては前記バックフラップは折り返されることなく、下着の肌当接面にフラップの粘着部を貼付することによって、ナプキン本体を下着に固定し、また、生理用ナプキンの後方部側方からの漏れを防止するものと認められる（本件特許明細書の段落番号【００１５】、並びに図３、４、６、９及び１０参照）。このように、本件発明１に記載のフラップと、刊行物１に記載された考案におけるフラップは、その使用の形態が相違するものである。
　刊行物２に記載の翼部、すなわちフラップは、上記摘示事項Ｃ．に「翼部用離型保護片４３を剥離し、各翼部分４０を外側へ折り返して着用ショーツの股部外側へ圧着する。」と記載されているように、使用時に折り返して下着の股部外側へ圧着するものである。刊行物３に記載の側部被覆要素、すなわち側部フラップ代替物は、上記摘示事項Ａ．に「側部被覆要素は、主本体部分を上向き弧状形体に置いたとき、装着者の下着の股部領域の縁部のまわりを覆うように予め配置されており」と記載されており、また、上記摘示事項Ｂ．に「下着を引っ張り上げたときに装着者の下着の側部を自動的に覆う一定長さの下着被覆構成要素（“側部被覆要素”）」と記載されているように、使用時に自動的に折り返され下着の股部領域の縁部のまわりを覆うものである。刊行物４に記載のサイドガード部、すなわちフラップも、その名称から下着の股部外側へ折り返して使用するものと認められる。
　このように、刊行物２〜４に記載されたフラップ又はその代替物は何れも、刊行物１に記載された考案におけるフラップと同じ形態で使用されるものであり、刊行物１〜４には、本件発明１に記載の形態で使用されるフラップは記載も示唆もされていない。
　そうしてみると、その他の相違点を検討するまでもなく、本件発明１は、刊行物１〜４に記載された事項に基いて当業者が容易に発明をすることができたものではない。
　
５．むすび
　以上のとおりであるから、特許異議申立ての理由及び証拠によっては、本件発明１についての特許を取り消すことはできない。
　
　また、他に取り消すべき理由を発見しない。
　
　よって、結論のとおり決定する。
【異議決定日】
平成１４年８月２１日（２００２．８．２１）